(57)【要約】【課題】年月日を示す数字を色によって表示することにより、興趣に富んだ、暖か味や癒し効果のあるカレンダーを提供する。【解決手段】年情報２ａと月情報２ｂと日情報２ｃ１〜２ｃ５の少なくとも一つが示す数字を、０〜９の各数字それぞれに割り当てられた互いに異なる色を用いて表示する。さらに、０〜９の数字と、各数字に割り当てられた互いに異なる色との対応関係を示す参照情報３を表示する。曜日情報を、各曜日に割り当てた互いに異なるイラストや写真などの図形を用いて表示してもよい。【選択図】　　　　図１
2004066484.tif 000002
【特許請求の範囲】
【請求項１】
年情報と月情報と日情報の少なくとも一つが、０〜９の各数字に割り当てられた互いに異なる色を用いて表示されたことを特徴とする、カレンダー。
【請求項２】
０〜９の数字と、前記各数字に割り当てられた色との対応関係を示す参照情報が表示されていることを特徴とする、請求項１に記載のカレンダー。
【請求項３】
前記互いに異なる色を用いて表示された前記年情報と月情報と日情報の少なくとも一つに、数字が併記されたことを特徴とする、請求項１又は２に記載のカレンダー。
【請求項４】
月曜日や火曜日などを示す曜日情報が、各曜日に割り当てられた互いに異なるイラストや写真などの図形を用いて表示されたことを特徴とする、請求項１〜３のいずれか１項に記載のカレンダー。
【請求項５】
前記０〜９の各数字を、順に黒，茶，赤，橙，黄，緑，青，紫，灰，白の各色で表示したことを特徴とする、請求項１〜４のいずれか１項に記載のカレンダー。
【発明の詳細な説明】
【０００１】
【発明の属する技術分野】
本発明は、年月日を色によって表示した、装飾性並びに趣向性に富むカレンダーに関する。
【０００２】
【従来の技術】
従来のカレンダーは、年，月，日，曜日のみを表示した実用性を重視したものや、イラストや人物及び風景写真などを主体とし、年月日を示す数字が補足的に表示されている装飾性を重視したものなどが知られている。これらは、いずれのものも一般に数字、文字を用いて年，月，日，曜日が表示されている。
【０００３】
【発明が解決しようとする課題】
しかしながら、実用性重視のカレンダーは、主に数字が表示されているだけであるので、全体的に暖か味に欠けて癒し効果に乏しく、そしてこのようなカレンダーを見る人は、その日の心境によって憂うつ感を覚えることすらある。
一方の装飾性重視のカレンダーにおいては、付属的に表示されている年月日などを示す数字や文字がイラストや写真などのデザイン性を阻害している。
【０００４】
そこで、本発明はこのような課題を解決するために創作されたものであり、年月日を色によって表示したカレンダーを提供することを目的としている。
【０００５】
【課題を解決するための手段】
上記目的を達成するために、本発明のカレンダーは、年情報と月情報と日情報の少なくとも一つが、０〜９の各数字に割り当てられた互いに異なる色を用いて表示されたことを特徴としている。さらに、前記年情報と月情報と日情報の少なくとも一つが、数の位ごとに前記色を用いて表示されている。
【０００６】
さらに、カレンダーには、０〜９の数字と、前記各数字に割り当てられた色との対応関係を示す参照情報が表示されるのが望ましい。
また、前記互いに異なる色を用いて表示された前記年情報と月情報と日情報の少なくとも一つに、『１月』や『２４日』などの日付を示す数字が併記されていてもよい。
【０００７】
さらに、月曜日や火曜日などを示す曜日情報が、各曜日に割り当てられた互いに異なるイラストや写真などの図形を用いて表示されていてもよい。また、例えば、０〜９の各数字を順に黒，茶，赤，橙，黄，緑，青，紫，灰，白色で表示してもよい。
【０００８】
本発明によれば、数字に代えて色の組み合わせにより表示することで、甚だ興趣に富んだ、暖か味や癒し効果のあるカレンダーが実現できる。また、イラストや写真を主体とした装飾性に富んだカレンダーにおいても、単に数字を羅列したものではなく、年月日を示す数字が色によって表現されているので、通常の年月日を確認するためのカレンダー機能を装飾性に富んだカレンダーに違和感なく挿入することが可能となる。
【０００９】
【発明の実施の形態】
以下、図面を用いて本発明の実施形態を説明する。
図１は本発明の実施形態に係るカレンダー１を示す平面図であり、このカレンダー１は、図１に示すように、年月日表示部２と参照情報表示部３と図柄表示部４とを備えて構成されている。
【００１０】
年月日表示部２は、年月日を表示又は特定するものであり、特に、文字や数字を用いずに色や図形を用いてそれらを表示することを特徴としている。ここで、年月日表示部２は、２００２年などの年情報を表示する年表示部２ａと、１月や２月などの月情報を表示する月表示部２ｂと、１日や１５日などの日情報を表示する日表示部２ｃと、月曜日や水曜日などの曜日情報を表示する曜日表示部２ｄとで構成されている。
【００１１】
ここで、年表示部２ａ，月表示部２ｂ，日表示部２ｃには、特定の数字を示す色が表示されている。たとえば、０〜９の各数字には、それぞれ順に黒，茶，赤，橙，黄，緑，青，紫，灰，白色が割り当てられている。従って、数字『３』を表示したい場合には『橙』色を用い、２桁の数字『２８』を表示したい場合は『赤』色と『灰』色の２色を用いる。このように本発明の実施形態に係るカレンダー１は、年月日の数字を、色を用いて表示することを特徴としている。
【００１２】
年表示部２ａには、西暦の４桁数字に対応して４つの円が並べて記載されており、各円内が一つの色で彩色されている。例えば、『２００２』を表示したい場合には、左から右へ『赤』，『黒』，『黒』，『赤』の順に４つの円が塗りつぶされる。年表示部２ａは必ずしも所定の色で塗りつぶした４つの円で構成される必要はなく、例えば西暦の下２桁の数字を年情報として表示する場合は、年表示部２ａは２つの円を特定の色で塗りつぶして構成される。
【００１３】
次に、月表示部２ｂと日表示部２ｃについて説明する。
月表示部２ｂと日表示部２ｃも、年表示部２ａと同様に、０〜９の各数字を上記の色で表示する。
なお、図１に示すように、日表示部２ｃ１〜２ｃ５は、一行に七日分の日にちを表示し、多段に構成されている。
月表示部２ｂと日表示部２ｃ１〜２ｃ５とにおいて一桁のみの数字を表示する場合は、一つの円を特定の色で塗りつぶすことで一桁のみの数字が表される。例えば、『４月』を表示する場合は月表示部２ｂの一つの円内を『黄』色で塗りつぶして表示すればよい。
また、図１に示すように、第一週の日表示部２ｃ１と第二週の日表示部２ｃ２とに表示されている一つの円は、１日〜９日をそれぞれ示し、互いに異なる色で塗りつぶされている。
【００１４】
次に、二桁の数字の表記方法について説明する。
図２は二桁の数字を表示する方法を示す図である。二桁の数字を表示する場合は、内円５と内円５の外周部６とにより構成される同心の二重の円を用いる。図２に示すように、外周部６を十の位の数字の色で塗りつぶし、内円５の内部を一の位の数字の色で塗りつぶすことで、二桁の数字を特定することができる。例えば、図１中の符号２ｅで指し示す二重円は、図１に示す日表示部２ｃ１の先頭の円から１２個目に該当するので、『１２日』を示すように構成される。これを上記各数字毎に割り当てられた色で表示すると、外周部６は『茶』色で、内円５の内部を『赤』色で塗りつぶされる。同様に、図１中の符号２ｆで指し示す二重円は『２６日』を示すように構成されるので、外周部６は『赤』色、内円５の内部は『青』色で表示される。このような表示方法は、月表示についても同様に表示できる。
【００１５】
また、図１では、二桁の数字を表示する場合に、同心に配置された二つの円を用いて表示される場合を例示したが、例えば図３に示すように、一つの円の左半分が十の位の数字の色で塗りつぶされ、右半分を一の位の数字の色で塗りつぶされるようにしてもよい。或いは、上下で区別するようにしてもよい。なお、色を囲む図形は図示のように円形である必要もなく、各種の図形又は各種のイラスト又は写真などであってよい。
【００１６】
次に、年表示部２ａの別の表示方法について説明する。図４は年表示２ａを四重丸で表示する方法を示す図である。この図において、四重丸の最外側から内側に順に区分される部位７，８，９，１０を、それぞれ千の位の数字、百の位の数字、十の位の数字、一の位の数字ととして表示する。この場合、『２００２年』を表示する場合、外側から２番目の部位８と外側から３番目の部位９が『黒』色で連続して塗りつぶされて、各円の境目が不明になる。このような場合は、円を他の色で彩色すると各境目が判り易くなる。
【００１７】
次に、本発明の別の実施形態を示す。
上記図１では、年表示部２ａ，月表示部２ｂと日表示部２ｃ１〜２ｃ５をそれぞれ内部を彩色した円を用いて表示される場合を例示したが、このような円形に形が限定されるものではなく、多種多様な任意の図形でもよい。
ここで、図５は年月日を星型に形成したカレンダーの構成を示す図であり、この図５に示すように、年表示部２ａ，月表示部２ｂと日表示部２ｃ１〜２ｃ５の形状は星型に形成されてもよい。また、図５に示す年表示部２ａ，月表示部２ｂと日表示部２ｃ１〜２ｃ５の表示方法も、図３に示す表示方法と同様に左右に分割して、左半分を十の位の数字の色、右半分を一の位の数字の色で塗りつぶされる。
【００１８】
次に、曜日の表記について説明する。
曜日表示部２ｄには、月曜日や火曜日などを示す曜日情報が、各曜日に割り当てられた互いに異なるイラストや写真などの図形を用いて表示されている。例えば、各曜日が星などの絵や写真を用いて表示されている。
図１や図５においては、日曜日は『太陽』、月曜日は『月』、火曜日は『火星』、水曜日は『水星』、木曜日は『木星』、金曜日は『金星』、土曜日は『土星』として表示されている。ここで、各曜日は星ではなく、各曜日に割り当てた絵や写真で表記してもよい。
【００１９】
次に、参照情報表示部３について説明する。
図１や図５に示すように、日表示部２ｃの下部に配置されている参照情報表示部３は、０〜９の数字と、各数字に割り当てられた互いに異なる色との対応関係を示すものである。カレンダー１を見る者が、色が示す数字を判別する場合に、参照用に供される。なお、図１及び図５示すカレンダー１においては、参照情報表示部３が設けられているが、カレンダーは参照情報表示部３を設けずに構成されていてもよい。
【００２０】
次に、図柄表示部４について説明する。
図１に示すように、図柄表示部４は年月日表示部２の上方に配置されている。ここで、図柄表示部４は、イラストや人物及び風景写真などを表示するものである。この図柄表示部４の有無や配置などは任意である。
【００２１】
このように構成された本発明の実施形態に係るカレンダーは、数字のみが単に羅列された従来の実用性重視のカレンダーと異なり、数字が所定の色によって表示されているため、カレンダー全体において暖かみを見る人に想起させることができる。
【００２２】
また、数字０〜９にそれぞれ異なる色を割り当てて日付を色によって表示し、年月日もデザインとして表示されているため、カレンダー１内のイラストや写真などの図柄表示部４のデザイン性と相俟って、カレンダーの意匠性を高めることができる。
【００２３】
さらに、本発明の実施形態に係るカレンダー１は、通常のカレンダーとしての日付確認の用途が終了した後も、年月日表示部２が色によって表示されているため、壁に掛けてオブジェ（置物）として再利用できる。
【００２４】
上記説明では、カレンダー１内に年月日に関する数字を一切表示しない場合を例示したが、図５の年表示部２ａや月表示部２ｂ及び第５週の日表示部２ｃ５に示すように、具体的な『２００２』，『Ｊａｎ』，『２７』などの数字を併記してもよい。
【００２５】
上記説明では、図１及び図５に示すように、カレンダー１が日付を七日毎に行をあらためて書かれた多段構成で、マトリックス状に配置された場合を例示したが、図６に示すように、年表示部２ａ，月表示部２ｂ，日表示部２ｃ，曜日表示部２ｄを同心円状に配置して構成してもよい。また、これらの配置構成は、上記例に限らず、三角形、四角形、五角形など様々に構成することができる。
【００２６】
また、上記説明では、年月日情報部２の年情報と月情報と日情報とが何れも色によって表示される場合を例示したが、本発明のカレンダーは、年情報と月情報と日情報の少なくとも一つが示す数字を０〜９の各数字それぞれに割り当てられた互いに異なる色を用いて表示されるように、構成してもよい。例えば、年情報と月情報とが数字で表され、日情報を色のみによって表示してもよい。
【００２７】
以上詳述したが、本発明は、発明の趣旨を逸脱しない範囲において様々な形態で実施できる。例えば、カレンダー１が月めくりのものとして構成される場合を例示したが、本発明のカレンダーはそれに限らず、日めくりのものや一年間を一枚の紙面に表示したものなどとしても構成できる。
【００２８】
【発明の効果】
本発明によれば、近年、ますます情報化社会が進むにつれ数字、文字が氾濫する中、一日一回は必ず目にするカレンダーから数字や文字を排除若しくは削減して色によって表示することにより、癒し効果や心に潤い及び遊び心が生まれて来ると共に、通常の年月日確認するためのカレンダー機能そのものは失われない変化に富んだカレンダーを実現することができる。
【図面の簡単な説明】
【図１】本発明の実施形態に係るカレンダーを示す平面図である。
【図２】本発明の実施形態に係る日表示部の構成例を示す図である。
【図３】本発明の実施形態に係る月表示部及び日表示部の構成例を示す図である。
【図４】本発明の実施形態に係る年表示部の構成例を示す図である。
【図５】本発明の他の実施形態に係るカレンダーを示す平面図である。
【図６】本発明のさらに他の実施形態に係るカレンダーを示す図である。
【符号の説明】
１　　カレンダー
２　　年月日表示部
２ａ　年表示部
２ｂ　月表示部
２ｃ，２ｃ１〜２ｃ５　日表示部
３　　参照情報表示部
４　　図柄表示部
【図１】
2004066484.tif 000003
【図２】
2004066484.tif 000004
【図３】
2004066484.tif 000005
【図４】
2004066484.tif 000006
【図５】
2004066484.tif 000007
【図６】
2004066484.tif 000008
【手続補正書】
【提出日】平成14年11月29日(2002.11.29)
【手続補正１】
【補正対象書類名】明細書
【補正対象項目名】０００７
【補正方法】変更
【補正の内容】
【０００７】
さらに、月曜日や火曜日などを示す曜日情報が、各曜日に割り当てられた互いに異なるイラストや写真などの図形を用いて表示されていてもよい。また、前記互いに異なるイラストや写真などの図形を用いて表示された曜日情報の少なくとも一つに、『Ｓｕｎ』や『Ｍｏｎ』などの曜日を示す文字が併記されていてもよい。
【手続補正２】
【補正対象書類名】明細書
【補正対象項目名】００２４
【補正方法】変更
【補正の内容】
【００２４】
上記説明では、カレンダー１内に年月日に関する数字を一切表示しない場合を例示したが、図５の年表示部２ａや月表示部２ｂ　及び曜日表示部２ｄや第５週の日表示部２ｃ５　に示すように、　具体的な『２００２』，『Ｊａｎ』，『Ｓｕｎ』，『２７』などの数字・文字を併記してもよい。


【手続補正３】
【補正対象書類名】図面
【補正対象項目名】図３
【補正方法】変更
【補正の内容】
【図３】
2004066484.tif 000009